(57)【要約】【課題】１室換気タイプと複数室換気タイプとの間で部品の共有化が可能であり、かつ複数部屋換気タイプにおいて浴室以外の部屋からの空気の流量を増加させることが可能な浴室換気乾燥装置を提供する。【解決手段】浴室の空気が吸い込まれる第１吸気口と、空気が排出される換気口と、第１吸気口から換気口に向けて空気を送る送風部と、第１吸気口に設けられるフィルタと、を備えた浴室換気乾燥装置であって、フィルタは、送風部が第１吸気口から吸い込まれた空気を換気口に向けて送る第１形態におけるフィルタの第１通気抵抗と、浴室換気乾燥装置が、浴室以外の部屋の空気が吸い込まれる第２吸気口をさらに備え、送風部が第１吸気口から吸い込まれた空気と第２吸気口から吸い込まれた空気とを換気口に向けて送る第２形態におけるフィルタの第２通気抵抗と、を異ならせるための通気抵抗部を有する。【選択図】図１
2017180925.tif 000002
【特許請求の範囲】
【請求項１】
浴室の空気が吸い込まれる第１吸気口と、
空気が排出される換気口と、
前記第１吸気口から前記換気口に向けて空気を送る送風部と、
前記第１吸気口に設けられるフィルタと、
を備えた浴室換気乾燥装置であって、
前記フィルタは、
前記送風部が前記第１吸気口から吸い込まれた空気を前記換気口に向けて送る第１形態における前記フィルタの第１通気抵抗と、
前記浴室換気乾燥装置が、前記浴室以外の部屋の空気が吸い込まれる第２吸気口をさらに備え、前記送風部が前記第１吸気口から吸い込まれた空気と前記第２吸気口から吸い込まれた空気とを前記換気口に向けて送る第２形態における前記フィルタの第２通気抵抗と、
を異ならせるための通気抵抗部を有することを特徴とする浴室換気乾燥装置。
【請求項２】
前記第２通気抵抗は、前記第１通気抵抗よりも高いことを特徴とする請求項１記載の浴室換気乾燥装置。
【請求項３】
前記第１吸気口において、前記浴室側から前記浴室換気乾燥装置の内部の方向である第１方向に向けて空気が吸い込まれ、
前記通気抵抗部は、前記第２形態において、前記第１方向と反対の第２方向から前記第１吸気口を見た場合の前記第１吸気口の開口面積が、前記第１形態において、前記第２方向から前記第１吸気口を見た場合の前記第１吸気口の開口面積よりも小さくなるように設けられることを特徴とする請求項１または２に記載の浴室換気乾燥装置。
【請求項４】
前記通気抵抗部は、枠部とメッシュとを有し、
前記第２形態における前記メッシュの密度は、前記第１形態における前記メッシュの密度よりも高いことを特徴とする請求項１〜３のいずれか１つに記載の浴室換気乾燥装置。
【請求項５】
前記通気抵抗部は、枠部とメッシュとを有し、
前記第２形態における前記メッシュの厚みは、前記第１形態における前記メッシュの厚みよりも厚いことを特徴とする請求項１〜４のいずれか１つに記載の浴室換気乾燥装置。
【請求項６】
前記第１形態における前記フィルタと、前記第２形態における前記フィルタと、のいずれかを選択的に保持可能であり、前記第１吸気口に設けられた保持部をさらに備えたことを特徴とする請求項１〜５のいずれか１つに記載の浴室換気乾燥装置。
【請求項７】
前記第１形態における前記フィルタの外縁の形状は、前記第２形態における前記フィルタの外縁の形状と同じであることを特徴とする請求項６記載の浴室換気乾燥装置。
【請求項８】
前記第１吸気口において、前記浴室側から前記浴室換気乾燥装置の内部の方向である第１方向に向けて空気が吸い込まれ、
前記保持部は、前記第１方向に交わる第３方向と、前記第１方向に交わり前記第３方向と異なる第４方向と、に向けて前記フィルタをスライド可能に構成されており、
前記フィルタを前記第３方向にスライドさせて前記保持部に保持させた状態で、前記第１方向と反対の第２方向から前記第１吸気口を見た場合の前記第１吸気口に対する前記通気抵抗部の位置は、前記フィルタを前記第４方向にスライドさせて前記保持部に保持させた状態で、前記第２方向から前記第１吸気口を見た場合の前記第１吸気口に対する前記通気抵抗部の位置と同じであることを特徴とする請求項６または７に記載の浴室換気乾燥装置。
【請求項９】
前記第１吸気口において、前記浴室側から前記浴室換気乾燥装置の内部の方向である第１方向に向けて空気が吸い込まれ、
前記保持部は、前記第１方向に交わる第３方向と、前記第１方向に交わり前記第３方向と異なる第４方向と、に向けて前記フィルタをスライド可能に構成されており、
前記フィルタを前記第３方向にスライドさせて前記保持部に保持させた状態で、前記第１方向と反対の第２方向から前記フィルタを見た場合の前記通気抵抗部の形状は、前記フィルタを前記第４方向にスライドさせて前記保持部に保持させた状態で、前記第２方向から前記フィルタを見た場合の前記通気抵抗部の形状と同じであることを特徴とする請求項６〜８のいずれか１つに記載の浴室換気乾燥装置。
【請求項１０】
前記第１吸気口において、前記浴室側から前記浴室換気乾燥装置の内部の方向である第１方向に向けて空気が吸い込まれ、
前記フィルタは、第１面と、前記第１面と反対側の第２面と、を有し、
前記第１面を前記第１方向に向けて前記フィルタを前記保持部に保持させた状態で、前記第１方向と反対の第２方向から前記フィルタを見た場合の前記通気抵抗部の形状は、前記第２面を前記第１方向に向けて前記フィルタを前記保持部に保持させた状態で、前記第２方向から前記フィルタを見た場合の前記通気抵抗部の形状と、同じであることを特徴とする請求項６〜９のいずれか１つに記載の浴室換気乾燥装置。
【発明の詳細な説明】
【技術分野】
【０００１】
本発明の態様は、一般的に、浴室換気乾燥装置に関する。
【背景技術】
【０００２】
浴室換気乾燥装置は、例えば、特許文献１に開示されるように、浴室の天井に設けられる。浴室換気乾燥装置では、１つのファンで浴室のみの換気を行うもの（１室換気タイプ）と、１つのファンで浴室とそれ以外の部屋の換気を行うもの（複数室換気タイプ）と、がある。
【先行技術文献】
【特許文献】
【０００３】
【特許文献１】特開２０１５−１４０９７７号公報
【発明の概要】
【発明が解決しようとする課題】
【０００４】
浴室換気乾燥装置が浴室の天井に設けられる場合、複数室換気タイプでは、浴室と浴室換気乾燥層との間の距離が、他の部屋と浴室換気乾燥装置との間の距離よりも短いために、浴室からの空気の流量が、他の部屋からの空気の流量よりも大きくなる傾向にある。
このため、従来、複数室換気タイプにおいて浴室以外の部屋からの空気の流量を大きくするために、１室換気タイプと複数室換気タイプとでは、異なる構成が採用されていた。
しかし、１室換気タイプと複数室換気タイプとで構成が異なる場合、それぞれの形態に合わせて部品を個別に設計する必要があり、浴室換気乾燥装置の製造コストが増大する。
本発明は、かかる課題の認識に基づいてなされたものであり、１室換気タイプと複数室換気タイプとの間で部品の共有化が可能であり、かつ複数室換気タイプにおいて浴室以外の部屋からの空気の流量を増加させることが可能な浴室換気乾燥装置を提供することを目的とする。
【課題を解決するための手段】
【０００５】
第１の発明は、浴室の空気が吸い込まれる第１吸気口と、空気が排出される換気口と、前記第１吸気口から前記換気口に向けて空気を送る送風部と、前記第１吸気口に設けられるフィルタと、を備えた浴室換気乾燥装置であって、前記フィルタは、前記送風部が前記第１吸気口から吸い込まれた空気を前記換気口に向けて送る第１形態における前記フィルタの第１通気抵抗と、前記浴室換気乾燥装置が、前記浴室以外の部屋の空気が吸い込まれる第２吸気口をさらに備え、前記送風部が前記第１吸気口から吸い込まれた空気と前記第２吸気口から吸い込まれた空気とを前記換気口に向けて送る第２形態における前記フィルタの第２通気抵抗と、を異ならせるための通気抵抗部を有することを特徴とする浴室換気乾燥装置である。
【０００６】
この浴室換気乾燥装置によれば、第１形態と第２形態との間で部品の共有化が可能であり、かつフィルタに通気抵抗部を設けることで、第１通気抵抗と第２通気抵抗のように通気抵抗を変更することができ、第１形態と第２形態とで浴室からの空気の流量を異ならせることが可能である。
【０００７】
第２の発明は、第１の発明において、前記第２通気抵抗は、前記第１通気抵抗よりも高いことを特徴とする浴室換気乾燥装置である。
【０００８】
この浴室換気乾燥装置によれば、第２形態において、浴室以外の部屋からの空気の流量を増加させることが可能となる。
【０００９】
第３の発明は、第１または第２の発明において、前記第１吸気口において、前記浴室側から前記浴室換気乾燥装置の内部の方向である第１方向に向けて空気が吸い込まれ、前記通気抵抗部は、前記第２形態において、前記第１方向と反対の第２方向から前記第１吸気口を見た場合の前記第１吸気口の開口面積が、前記第１形態において、前記第２方向から前記第１吸気口を見た場合の前記第１吸気口の開口面積よりも小さくなるように設けられることを特徴とする浴室換気乾燥装置である。
【００１０】
この浴室換気乾燥装置によれば、第２形態における吸気口の開口面積が第１形態における吸気口の開口面積よりも小さいため、前記第２通気抵抗を前記第１通気抵抗よりも高め、第２形態において浴室以外の部屋からの空気の流量を増加させることが可能となる。
【００１１】
第４の発明は、第１〜第３のいずれかの発明において、前記通気抵抗部は、枠部とメッシュとを有し、前記第２形態における前記メッシュの密度は、前記第１形態における前記メッシュの密度よりも高いことを特徴とする浴室換気乾燥装置である。
【００１２】
この浴室換気乾燥装置によれば、第２形態におけるメッシュの密度が第１形態におけるメッシュの密度よりも高いため、前記第２通気抵抗を前記第１通気抵抗よりも高め、第２形態において浴室以外の部屋からの空気の流量を増加させることが可能となる。
【００１３】
第５の発明は、第１〜第４のいずれかの発明において、前記通気抵抗部は、枠部とメッシュとを有し、前記第２形態における前記メッシュの厚みは、前記第１形態における前記メッシュの厚みよりも厚いことを特徴とする浴室換気乾燥装置である。
【００１４】
この浴室換気乾燥装置によれば、第２形態におけるメッシュの厚みが第１形態におけるメッシュの厚みよりも厚いため、前記第２通気抵抗を前記第１通気抵抗よりも高め、第２形態において浴室以外の部屋からの空気の流量を増加させることが可能となる。
【００１５】
第６の発明は、第１〜第５のいずれかの発明において、前記第１形態における前記フィルタと、前記第２形態における前記フィルタと、のいずれかを選択的に保持可能であり、前記第１吸気口に設けられた保持部をさらに備えたことを特徴とする浴室換気乾燥装置である。
【００１６】
この浴室換気乾燥装置によれば、フィルタの保持部への取り付けが容易となる。
【００１７】
第７の発明は、第６の発明において、前記第１形態における前記フィルタの外縁の形状は、前記第２形態における前記フィルタの外縁の形状と同じであることを特徴とする浴室換気乾燥装置である。
【００１８】
この浴室換気乾燥装置によれば、フィルタの通気抵抗部以外の部分を、第１形態と第２形態で共通化することができる。
【００１９】
第８の発明は、第６または第７の発明において、前記第１吸気口において、前記浴室側から前記浴室換気乾燥装置の内部の方向である第１方向に向けて空気が吸い込まれ、前記保持部は、前記第１方向に交わる第３方向と、前記第１方向に交わり前記第３方向と異なる第４方向と、に向けて前記フィルタをスライド可能に構成されており、前記フィルタを前記第３方向にスライドさせて前記保持部に保持させた状態で、前記第１方向と反対の第２方向から前記第１吸気口を見た場合の前記第１吸気口に対する前記通気抵抗部の位置は、前記フィルタを前記第４方向にスライドさせて前記保持部に保持させた状態で、前記第２方向から前記第１吸気口を見た場合の前記第１吸気口に対する前記通気抵抗部の位置と同じであることを特徴とする浴室換気乾燥装置である。
【００２０】
保持部が、複数の方向からフィルタをスライドさせて保持可能に構成されていることで、浴室換気乾燥装置の利便性を向上させることができる。また、この浴室換気乾燥装置によれば、フィルタを異なる方向にスライドさせて保持部に保持させた場合でも、それぞれの状態におけるフィルタの通気抵抗の差を低減することが可能となる。
【００２１】
第９の発明は、第６〜第８のいずれかの発明において、前記第１吸気口において、前記浴室側から前記浴室換気乾燥装置の内部の方向である第１方向に向けて空気が吸い込まれ、前記保持部は、前記第１方向に交わる第３方向と、前記第１方向に交わり前記第３方向と異なる第４方向と、に向けて前記フィルタをスライド可能に構成されており、前記フィルタを前記第３方向にスライドさせて前記保持部に保持させた状態で、前記第１方向と反対の第２方向から前記フィルタを見た場合の前記通気抵抗部の形状は、前記フィルタを前記第４方向にスライドさせて前記保持部に保持させた状態で、前記第２方向から前記フィルタを見た場合の前記通気抵抗部の形状と同じであることを特徴とする浴室換気乾燥装置である。
【００２２】
保持部が、複数の方向からフィルタをスライドさせて保持可能に構成されていることで、浴室換気乾燥装置の利便性を向上させることができる。また、この浴室換気乾燥装置によれば、フィルタを異なる方向にスライドさせて保持部に保持させた場合でも、それぞれの状態におけるフィルタの通気抵抗の差を低減することが可能となる。
【００２３】
第１０の発明は、第６〜第９のいずれかの発明において、前記第１吸気口において、前記浴室側から前記浴室換気乾燥装置の内部の方向である第１方向に向けて空気が吸い込まれ、前記フィルタは、第１面と、前記第１面と反対側の第２面と、を有し、前記第１面を前記第１方向に向けて前記フィルタを前記保持部に保持させた状態で、前記第１方向と反対の第２方向から前記フィルタを見た場合の前記通気抵抗部の形状は、前記第２面を前記第１方向に向けて前記フィルタを前記保持部に保持させた状態で、前記第２方向から前記フィルタを見た場合の前記通気抵抗部の形状と、同じであることを特徴とする浴室換気乾燥装置である。
【００２４】
フィルタの第１方向を向いている面に拘わらず保持部がフィルタを保持可能に構成することで、浴室換気乾燥装置の利便性を向上させることができる。また、この浴室換気乾燥装置によれば、第１面が第１方向を向いている場合と第２面が第１方向を向いている場合とのフィルタにおける通気抵抗の差を低減することが可能となる。
【発明の効果】
【００２５】
本発明の態様によれば、１室換気タイプと複数室換気タイプとの間で部品の共有化が可能であり、かつ複数室換気タイプにおいて浴室以外の部屋からの空気の流量を増加させることが可能な浴室換気乾燥装置が提供される。
【図面の簡単な説明】
【００２６】
【図１】実施形態の１室換気の一例に係る浴室換気乾燥装置を浴室に取り付けた状態を表す概略図である。
【図２】実施形態の複数室換気の一例に係る浴室換気乾燥装置を浴室に取り付けた状態を表す概略図である。
【図３】実施形態の１室換気の一例に係る浴室換気乾燥装置を表す断面図である。
【図４】実施形態の複数室換気の一例に係る浴室換気乾燥装置を表す断面図である。
【図５】実施形態に係る浴室換気乾燥装置が有するフィルタを表す平面図である。
【図６】実施形態に係る浴室換気乾燥装置が有する吸気口近傍の構造を表す底面図である。
【発明を実施するための形態】
【００２７】
以下、本発明の実施形態について図面を参照しつつ説明する。なお、各図面中、同様の構成要素には同一の符号を付して詳細な説明は適宜省略する。
図１は、実施形態の１室換気の一例に係る浴室換気乾燥装置１を浴室に取り付けた状態を表す概略図である。
図２は、実施形態の複数室換気の一例に係る浴室換気乾燥装置１を浴室に取り付けた状態を表す概略図である。
【００２８】
実施形態に係る浴室換気乾燥装置１は、浴室ＢＲの天井に取り付けられる。
図１に表すように、実施形態の１室換気の一例に係る浴室換気乾燥装置１ａは、浴室ＢＲの空気を吸い込み、ヒータを経由させて浴室ＢＲに向けて吹き出す。または、浴室換気乾燥装置１ａは、浴室ＢＲの空気を吸い込み、吸い込んだ空気の少なくとも一部を、ダクトＤ１を通して屋外に排出する（詳細な構造については図示を省略する）。
浴室ＢＲには、例えば、洗面所ＳＲが隣接して設けられ、リモコンＲＣが洗面所ＳＲの壁面に設けられている。浴室換気乾燥装置１は、このリモコンＲＣによって操作される。
【００２９】
図２に表すように、実施形態の複数室換気の一例に係る浴室換気乾燥装置１ｂは、浴室ＢＲに加え、浴室ＢＲ以外の部屋（例えば洗面所ＳＲ）とダクトＤ２を通じて繋がっている。浴室換気乾燥装置１ｂは、浴室ＢＲの空気および洗面所ＳＲの空気を吸い込み、ダクトＤ１を通して屋外に排出する。または、浴室換気乾燥装置１ｂは、浴室ＢＲの空気を吸い込み、ヒータを経由させて浴室ＢＲに向けて吹き出すことも可能である（詳細な構造については図示を省略する）。
【００３０】
以降では、図１に表すように、浴室ＢＲの空気のみを吸い込む浴室換気乾燥装置１ａを、第１形態ともいう。図２に表すように、浴室ＢＲの空気と、浴室ＢＲ以外の部屋の空気と、を吸い込む浴室換気乾燥装置１ｂを第２形態ともいう。
第１形態および第２形態に共通の構造・特性等を説明する際には、浴室換気乾燥装置１ａおよび１ｂを、まとめて浴室換気乾燥装置１という。
また、以降では、浴室ＢＲから浴室換気乾燥装置１を見た方向を「上」とし、「上」と反対の方向を「下」とする。
【００３１】
次に、図３および図４を用いて、浴室換気乾燥装置１ａおよび浴室換気乾燥装置１ｂの構造について説明する。
図３は、実施形態の１室換気の一例に係る浴室換気乾燥装置１を表す断面図である。
図４は、実施形態の複数室換気の一例に係る浴室換気乾燥装置１を表す断面図である。
なお、説明の都合上、換気に関する機能については図示を省略する。
【００３２】
図３に表すように、浴室換気乾燥装置１ａは、共通モジュール１０およびケーシング１０１を有する。
共通モジュール１０は、パネル１０３、ファン１０５、レール１０７、スクロール１０９、フィルタ１２０、吸気口１３１、および換気口１３３を有する。
【００３３】
ケーシング１０１は、浴室ＢＲの天井Ｃに形成された開口内に設けられる。
吸気口１３１は、ケーシング１０１の下面に形成されている。
換気口１３３は、ケーシング１０１の側面に形成されている。換気口１３３は、図１に表すダクトＤ１と接続され、屋外に繋がっている。
スクロール１０９は、ケーシング１０１の内側に設けられている。スクロール１０９の内部空間は、一端が吸気口１３１と繋がり、他端が換気口１３３と繋がっている。
パネル１０３は、ケーシング１０１の下方に設けられ、スクロール１０９を下方から覆っている。
【００３４】
ファン１０５は、スクロール１０９の内部に設けられている。ファン１０５は、例えば、複数の羽根が周方向に並べられたシロッコファンである。ファン１０５が動作すると、浴室ＢＲの空気は、図３の矢印で表すように、パネル１０３の外周から、ケーシング１０１とパネル１０３との隙間を通って吸気口１３１に流れる。吸気口１３１に流れた空気は、下方（第２方向）から上方（第１方向）に向けて吸い込まれ、スクロール１０９の内部を通って換気口１３３から排出される。
【００３５】
レール１０７は、ケーシング１０１の吸気口１３１に設けられている。レール１０７は、フィルタ１２０を保持可能に構成されている。
吸気口１３１は、フィルタ１２０により覆われている。ケーシング１０１とパネル１０３との隙間から流れ込んだ空気は、上方に向けてフィルタ１２０を通過する。
【００３６】
図４に表すように、浴室換気乾燥装置１ｂは、共通モジュール１０およびケーシング１０１に加えて、さらにシャッタ１１３および吸気口１３５を有する。
吸気口１３５は、図２に表すダクトＤ２と接続され、浴室ＢＲ以外の部屋に繋がっている。また、浴室換気乾燥装置１ｂでは、吸気口１３５が設けられた側において、ケーシング１０１とスクロール１０９との間に間隙Ｇが形成されている。吸気口１３５は、間隙Ｇを介して、吸気口１３１、スクロール１０９の内部空間、および換気口１３３と繋がっている。
【００３７】
吸気口１３５と換気口１３３とを連通する風路上であって、吸気口１３１と吸気口１３５との間（間隙Ｇ）には、シャッタ１１３が設けられている。シャッタ１１３は、回動可能に構成されている。シャッタ１１３を回動させることで、吸気口１３５と換気口１３３とを連通する風路の遮蔽や開放を切り替えることができる。
【００３８】
例えば、シャッタ１１３を開放した状態でファン１０５を動作させることで、浴室ＢＲの空気と他の部屋の空気とを換気することができる。
または、シャッタ１１３を遮蔽した状態でファン１０５を動作させることで、浴室ＢＲの空気のみを屋外へ排出することができる。シャッタ１１３によって間隙Ｇの一部のみを遮蔽することで、吸気口１３５から吸い込まれる吸気の流量を抑えつつ、浴室ＢＲから流れる空気の流量を大きくすることも可能である。
あるいは、ファン１０５が動作していないときにシャッタ１１３を遮蔽することで、浴室ＢＲの湿気が、吸気口１３５を通じて他の部屋に流れることを抑制できる。
【００３９】
なお、図３および図４を用いて説明した共通モジュール１０のフィルタ１２０の構造については、後述するように、１室換気の浴室換気乾燥装置１および複数室換気の浴室換気乾燥装置１の、それぞれの浴室換気乾燥装置１の形態に応じて、適宜変更可能である。
【００４０】
ここで、フィルタ１２０の具体的な構造について、図５を用いて説明する。
図５は、実施形態に係る浴室換気乾燥装置１が有するフィルタ１２０を表す平面図である。
より具体的には、図５（ａ）は、第１形態に係る浴室換気乾燥装置１ａが有するフィルタ１２０ａを表し、図５（ｂ）は、第２形態に係る浴室換気乾燥装置１ｂが有するフィルタ１２０ｂを表す。
【００４１】
図５（ａ）および図５（ｂ）に表すように、フィルタ１２０は、外枠１２１、つまみ１２２、および通気抵抗部１２３を有する。
外枠１２１は、フィルタ１２０の外周に設けられている。外枠１２１をレール１０７にスライドさせて固定することで、フィルタ１２０が吸気口１３１に取り付けられる。
つまみ１２２は、フィルタ１２０の一端に設けられている。つまみ１２２は、フィルタ１２０をレール１０７に対して挿入または抜去する際に、使用者がつまむ部分である。
【００４２】
通気抵抗部１２３は、枠部１２４およびメッシュ１２５を有する。
枠部１２４は、所定の方向に延びており、メッシュ１２５は、枠部１２４と外枠１２１に囲まれた領域に設けられている。
【００４３】
次に、フィルタ１２０ａおよびフィルタ１２０ｂのそれぞれの構造について説明する。
【００４４】
フィルタ１２０ａの外枠１２１の形状は、例えば、フィルタ１２０ｂの外枠１２１の形状と同じである。また、フィルタ１２０ａの外縁の形状は、例えば、フィルタ１２０ｂの外縁の形状と同じである。
これに対して、フィルタ１２０ａの通気抵抗部１２３ａと、フィルタ１２０ｂの通気抵抗部１２３ｂと、はその構造が互いに異なる。
【００４５】
具体的には、図５（ａ）および図５（ｂ）に表すように、枠部１２４ｂの幅は、枠部１２４ａの幅よりも広い。このため、下方から吸気口１３１に設けられたフィルタ１２０を見た場合、枠部１２４ｂの面積は、枠部１２４ａの面積よりも大きく、メッシュ１２５ｂの面積は、メッシュ１２５ａの面積よりも小さい。また、下方から吸気口１３１に設けられたフィルタ１２０を見た場合、フィルタ１２０ｂが設けられた吸気口１３１の開口面積は、フィルタ１２０ａが設けられた吸気口１３１の開口面積よりも小さい。
なお、ここでは、開口面積とは、下方から吸気口１３１に設けられたフィルタ１２０を見た場合に、吸気口１３１と各フィルタのメッシュとが重なる領域の面積を意味している。すなわち、開口面積が大きいほど、吸気口１３１を流れる空気に対するフィルタ１２０の抵抗が小さい。
以降では、吸気口１３１を流れる空気に対するフィルタの抵抗を、通気抵抗と呼ぶ。
【００４６】
換言すると、吸気口１３１に設けられるフィルタ１２０には、第２形態におけるフィルタ１２０の通気抵抗が、第１形態におけるフィルタ１２０の通気抵抗よりも高くなるように、通気抵抗部１２３が設けられている。そして、第２形態には、通気抵抗が相対的に高いフィルタ１２０ｂが設けられ、第１形態には、通気抵抗が相対的に低いフィルタ１２０ａが設けられている。
【００４７】
フィルタ１２０の外枠１２１および枠部１２４は、例えば、所定の金型に樹脂を流し込み、固化させることで形成される。その際に、例えば、枠部１２４に対応する一部の金型を交換することで、枠部１２４の幅が互いに異なり、通気抵抗部が互いに異なるフィルタ１２０ａとフィルタ１２０ｂを製造することができる。なお、フィルタ１２０の一例として、枠部１２４の幅を変える例について説明したが、フィルタ１２０に設けられるメッシュの密度や厚みを変更して通気抵抗を変えてもよい。
【００４８】
次に、フィルタ１２０が吸気口１３１に設けられたときの状態について、図６を用いて説明する。
図６は、実施形態に係る浴室換気乾燥装置１が有する吸気口１３１近傍の構造を表す底面図である。
なお、図６では、ファン１０５およびスクロール１０９を透過させて表し、吸気口１３１を破線で表している。
また、以降では、フィルタ１２０をレール１０７にスライドさせる一方向を「前」とし、「前」と反対の方向を「後」とする。
【００４９】
フィルタ１２０は、浴室ＢＲから吸い込まれた空気が吸気口１３１を流れる方向（上方）に対して垂直な方向にスライドさせて、レール１０７に挿入される。
例えば、図６（ａ）に表すように、つまみ１２２をつまんだ状態で、後方（第３方向）から前方（第４方向）に向けてフィルタ１２０ａをスライドさせ、レール１０７に挿入する。
または、図６（ｂ）に表すように、つまみ１２２をつまんだ状態で、前方から後方に向けてフィルタ１２０ａをスライドさせ、レール１０７に挿入してもよい。
【００５０】
すなわち、レール１０７は、上下方向に対して垂直な方向であって、互いに異なる複数の方向からフィルタ１２０ａをスライドさせて挿入可能に構成されている。
こうすることで、浴室換気乾燥装置１の利便性を向上させることが可能となる。
【００５１】
また、フィルタ１２０ａを前方にスライドさせてレール１０７に保持させた状態で、下方から吸気口１３１を見た場合の吸気口１３１に対する通気抵抗部１２３ａの位置は、フィルタ１２０ａを後方にスライドさせてレール１０７に保持させた状態で、下方から吸気口１３１を見た場合の吸気口１３１に対する通気抵抗部１２３ａの位置と同じである。
こうすることで、フィルタ１２０を異なる方向にスライドさせてレール１０７に挿入した場合でも、それぞれの状態におけるフィルタ１２０の通気抵抗の差を低減することが可能となる。
【００５２】
また、フィルタ１２０ａを前方にスライドさせてレール１０７に保持させた状態で、下方からフィルタ１２０ａを見た場合の通気抵抗部１２３ａの形状は、フィルタ１２０ａを後方にスライドさせてレール１０７に保持させた状態で、下方からフィルタ１２０ａを見た場合の通気抵抗部１２３ａの形状と同じである。
なお、より具体的には、２つの形状が同じとは、例えば、体を前方に向け、かつ視点を上方に向けた使用者から見て、フィルタ１２０ａのスライドの方向に拘わらず、通気抵抗部１２３ａの形状（枠部１２４やメッシュ１２５の形状）が同じに見えることを意味している。
こうすることで、フィルタ１２０を異なる方向にスライドさせてレール１０７に挿入した場合でも、それぞれの状態におけるフィルタ１２０の通気抵抗の差をさらに低減することが可能となる。
【００５３】
なお、図６では、フィルタ１２０ａを例に説明したが、上述した各構造は、フィルタ１２０ｂについても同様に適用することができる。
【００５４】
また、フィルタ１２０は、図３および図４に表すように、第１面Ｓ１と、第１面Ｓ１と反対側の第２面Ｓ２と、を有する。レール１０７およびフィルタ１２０は、フィルタ１２０が第１面Ｓ１と第２面Ｓ２のどちらが上方を向いている場合であっても、レール１０７に対して挿入可能に構成されていてもよい。
こうすることで、浴室換気乾燥装置１の利便性を向上させることが可能となる。
【００５５】
また、第１面Ｓ１を上方に向けてフィルタ１２０がレール１０７に保持された状態で、下方からフィルタ１２０を見た場合の通気抵抗部１２３の形状は、第２面Ｓ２を上方に向けてフィルタ１２０がレール１０７に保持された状態で、下方からフィルタ１２０を見た場合の通気抵抗部１２３の形状と同じであることが望ましい。
こうすることで、第１面Ｓ１が上方を向いている場合と第２面Ｓ２が上方を向いている場合とのフィルタ１２０における通気抵抗の差を低減することが可能となる。
【００５６】
本実施形態の作用および効果について説明する。
本実施形態では、１室換気タイプ（第１形態）と複数室換気タイプ（第２形態）で、共通モジュール１０を用いている。また、ケーシング１０１も、吸気口１３５近傍を除いて、第１形態と第２形態で共通の構造を有する。共通モジュール１０およびケーシング１０１の一部を、第１形態と第２形態で共通化させることで、第１形態に係る浴室換気乾燥装置と第２形態に係る浴室換気乾燥装置を製造するための部品数を削減し、製造コストを低減することが可能となる。
また、本実施形態では、第２形態における浴室ＢＲ以外の部屋からの空気の流量を増加させるために、フィルタ１２０に、第１形態における通気抵抗と、第２形態における通気抵抗と、を異ならせるための、通気抵抗部１２３が設けられている。
フィルタ１２０に通気抵抗部１２３を設けて、第１形態におけるフィルタ１２０の通気抵抗を、第２形態におけるフィルタ１２０の通気抵抗よりも高くすることで、浴室ＢＲからの空気の流量を抑え、浴室ＢＲ以外の部屋からの空気の流量を増加させることができる。
すなわち、本実施形態によれば、第１形態と第２形態との間で部品の共有化が可能であり、かつ第２形態において浴室ＢＲ以外の部屋からの空気の流量を増加させることが可能となる。
また、本実施形態によれば、フィルタ１２０に通気抵抗部１２３を設けることで、第１形態におけるフィルタ１２０の通気抵抗と、第２形態におけるフィルタ１２０の通気抵抗とを異ならせることができるため、各形態における通気抵抗を容易に異ならせることが可能である。
【００５７】
通気抵抗部１２３は、フィルタ１２０を吸気口１３１に設けた場合に、第２形態における吸気口１３１の開口面積が、第１形態における吸気口１３１の開口面積よりも小さくなるように、フィルタ１２０に設けられる。
こうすることで、第２形態におけるフィルタ１２０の通気抵抗を、第１形態におけるフィルタ１２０の通気抵抗よりも高くすることができる。
【００５８】
または、第２形態におけるフィルタ１２０ｂの通気抵抗部１２３ｂのメッシュ１２５ｂの密度を、第１形態におけるフィルタ１２０ａの通気抵抗部１２３ａのメッシュ１２５ａの密度よりも高くすることで、枠部１２４の形状を変えることなく、第２形態におけるフィルタ１２０の通気抵抗を、第１形態におけるフィルタ１２０の通気抵抗よりも高くすることも可能である。
【００５９】
あるいは、第２形態におけるフィルタ１２０ｂの通気抵抗部１２３ｂのメッシュ１２５ｂの厚みを、第１形態におけるフィルタ１２０ａの通気抵抗部１２３ａのメッシュ１２５ａの厚みよりも厚くすることで、枠部１２４の形状を変えることなく、第２形態におけるフィルタ１２０の通気抵抗を、第１形態におけるフィルタ１２０の通気抵抗よりも高くしてもよい。
【００６０】
もしくは、第１形態におけるフィルタ１２０ａおよび第２形態におけるフィルタ１２０ｂについて、上述した構造を相互に組み合わせて適用することも可能である。すなわち、枠部１２４やメッシュ１２５の形状に加え、メッシュ１２５の厚みや密度を、フィルタ１２０ａとフィルタ１２０ｂで異ならせてもよい。
【００６１】
また、本実施形態に係る浴室換気乾燥装置１では、吸気口１３１に設けられたレール１０７が、通気抵抗部１２３ａが設けられたフィルタ１２０ａと、通気抵抗部１２３ｂが設けられたフィルタ１２０ｂと、の両方を保持可能に構成されている。
このため、第１形態と第２形態とで共通のレール１０７を用い、フィルタ１２０ａと１２０ｂとのいずれかを選択的に取り付けることが可能となる。
例えば、通気抵抗部１２３ａが設けられたフィルタ１２０ａの外縁の形状を、通気抵抗部１２３ｂが設けられたフィルタ１２０ｂの外縁の形状と同じにすることで、第１形態と第２形態とで共通のレール１０７を用いることが可能となる。
【００６２】
なお、以上で説明した実施形態では、第２形態におけるフィルタ１２０の通気抵抗が、第１形態におけるフィルタ１２０の通気抵抗よりも高い場合について説明したが、第１形態におけるフィルタ１２０の通気抵抗が、第２形態におけるフィルタ１２０の通気抵抗より高くてもよい。すなわち、フィルタ１２０に、第１形態におけるフィルタ１２０の通気抵抗が、第２形態におけるフィルタ１２０の通気抵抗よりも高くなるように、通気抵抗部１２３が設けられていてもよい。
【００６３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室換気乾燥装置１やフィルタ１２０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６４】
１、１ａ、１ｂ 浴室換気乾燥装置、  １０ 共通モジュール、  １０１ ケーシング、  １０３ パネル、  １０５ ファン、  １０７ レール、  １０９ スクロール、  １１３ シャッタ、  １２０ フィルタ、  １２１ 外枠、  １２２ つまみ、  １２３ 通気抵抗部、  １２４ 枠部、  １２５ メッシュ、  １３１ 吸気口、  １３３ 換気口、  １３５ 吸気口、  ＢＲ 浴室、  Ｃ 天井、  Ｄ１、Ｄ２ ダクト、  Ｇ 間隙、  ＲＣ リモコン、  Ｓ１ 第１面、  Ｓ２ 第２面、  ＳＲ 洗面所
【図１】
2017180925.tif 000003
【図２】
2017180925.tif 000004
【図３】
2017180925.tif 000005
【図４】
2017180925.tif 000006
【図５】
2017180925.tif 000007
【図６】
2017180925.tif 000008